(57)【要約】【課題】下に凸となるように湾曲したカードであっても爪部材によって確実にカードを押し出すことができ、更に爪部材がゲートに当接しないようにする。【解決手段】複数枚のカードが搬送面に積み重ねられ、カードの下流側でゲートが搬送面に対向する。搬送面の下方において、移動部材１０５が上流と下流との間で往復移動可能に設けられ、移動部材１０５には爪部材１１５が上下に回転可能に取り付けら、爪部材１１５に設けられた摺動ローラ１３３がガイド溝１３１に挿入されている。摺動ローラ１３３がガイド溝１３１の上流部１３１ａを下流に摺動すると、爪部材１１５の爪１１９がカードの縁に当接し、摺動ローラ１３３がガイド溝１３１の傾斜部１３１ｂを下流に摺動すると、爪１１９が下降し、摺動ローラ１３３がガイド溝１３１の下流部１３１ｃを下流に摺動すると、爪１１９がゲート１２３の下を下流へ通過する。【選択図】図３
2007076889.tif 000002
【特許請求の範囲】
【請求項１】
複数枚のカードが積み重ねられた搬送面と、
前記搬送面に沿って上流と下流の間で往復移動可能に設けられた移動部材と、
前記カードよりも下流側で前記搬送面に対して間隔をあけて前記搬送プレートの上に配置されたゲートと、
前記移動部材の往復移動により前記カードよりも上流側と前記ゲートよりも下流側との間で往復移動可能に設けられ、前記移動部材の往復移動により前記移動部材に対して昇降可能に設けられ、前記カードよりも上流側に位置している場合に前記搬送面と前記ゲートの間隔よりも高く前記搬送面から上に突出し、前記ゲートを上流から下流へ通過する場合に前記搬送面と前記ゲートの間隔よりも低く前記搬送面から上に突出する爪部材と、
を備えることを特徴とするカード搬出装置。
【請求項２】
前記爪部材の脇に設けられ、前記ゲートの上流から下流にかけて延在したガイド溝と、
前記爪部材から前記ガイド溝に延出するよう前記爪部材に取り付けられ、前記ガイド溝に沿って摺動可能とされた摺動子と、を更に備え、
前記ガイド溝が前記ゲートよりも上流側から前記ゲートに向かって下る傾斜部を有し、
前記摺動子が前記ガイド溝の傾斜部を上流から下流に摺動することによって前記爪部材が下降することを特徴とする請求項１に記載のカード搬出装置。
【請求項３】
請求項１又は２に記載のカード搬出装置と、
前記爪部材が上流から下流に移動することによって前記搬送面と前記ゲートとの間から押し出されたカードに画像を形成する画像形成部と、
を備えるカードプリンタ。
【発明の詳細な説明】
【技術分野】
【０００１】
本発明は、積み重ねられた複数枚のカードのうち最も下のカードを搬出するカード搬出装置に関するとともに、そのカード搬出装置を具備したカードプリンタに関する。
【背景技術】
【０００２】
従来、カードプリンタにおいては、複数枚のカードがホッパー内に積み重ねられ、カード搬出装置によってカードが下から一枚ずつ昇華型プリンタヘッドへ搬出され、搬出されたカードが昇華型プリンタヘッドによって印画される。従来のカード搬出装置としては、例えば特許文献１に記載されたものがある。
【０００３】
図４は、従来のカード搬出装置の概略側面図である。図４（ａ）に示すように、搬送面３２１の上にゲート３２３が対向配置され、搬送面３２１とゲート３２３との間隙を最も下のカード３４０が１枚だけ通過できるようになっている。搬送面３２１から上に突出した爪部材３１５がカード３４０の縁に当接し、爪部材３１５がゲート３２３に向かって移動することによって、カードがゲート３２３と搬送面３２１の間を通過して押し出される。
【０００４】
カードの種類によっては、カードが下に凸となるよう湾曲し、カードの縁が搬送面３２１から浮いた状態となることがある。その場合、爪部材３１５がカードの縁に当接せず、爪部材３１５によってカードが押し出されないことがある。そのため、図４（ｂ）に示すように、カードの反りに合わせて、爪部材３１５をより高く搬送面３２１から上に突出させることによって、爪部材３１５が確実にカードの縁に当接させることができる。
【特許文献１】特開２００２−２４５４１０号公報
【発明の開示】
【発明が解決しようとする課題】
【０００５】
しかし、爪部材３１５をより高く突出させると、図４（ｃ）に示すように、爪部材３１５がゲート３２３に当たり、カードがゲート３２３を完全に通過させることができず、カードを搬出することができなかった。
【０００６】
そこで、本発明は上記課題を解決しようとしてなされたものであり、本発明の目的は、下に凸となるように湾曲したカードであっても爪部材によって確実にカードを押し出すことができ、更に爪部材がゲートに当接しないようにすることである。
【課題を解決するための手段】
【０００７】
以上の課題を解決するために、本発明においては、カード搬出装置が、複数枚のカードが積み重ねられた搬送面と、前記搬送面に沿って上流と下流の間で往復移動可能に設けられた移動部材と、前記カードよりも下流側で前記搬送面に対して間隔をあけて前記搬送プレートの上に配置されたゲートと、前記移動部材の往復移動により前記カードよりも上流側と前記ゲートよりも下流側との間で往復移動可能に設けられ、前記移動部材の往復移動により前記移動部材に対して昇降可能に設けられ、前記カードよりも上流側に位置している場合に前記搬送面と前記ゲートの間隔よりも高く前記搬送面から上に突出し、前記ゲートを上流から下流へ通過する場合に前記搬送面と前記ゲートの間隔よりも低く前記搬送面から上に突出する爪部材と、を備えるという構成を採った。
【０００８】
以上の発明において、前記カード搬出装置が、前記爪部材の脇に設けられ、前記ゲートの上流から下流にかけて延在したガイド溝と、前記爪部材から前記ガイド溝に延出するよう前記爪部材に取り付けられ、前記ガイド溝に沿って摺動可能とされた摺動子と、を更に備え、前記ガイド溝が前記ゲートよりも上流側から前記ゲートに向かって下る傾斜部を有し、前記摺動子が前記ガイド溝の傾斜部を上流から下流に移動することによって前記爪部材が下降することが好ましい。
【０００９】
また、本発明においては、カードプリンタが、前記カード搬出装置と、前記爪部材が上流から下流に移動することによって前記搬送面と前記ゲートとの間から押し出されたカードに画像を形成する画像形成部とを備えるという構成を採った。
【発明の効果】
【００１０】
本発明によれば、爪部材がカードよりも上流側に位置している場合、爪部材が搬送面とゲートの間隔よりも高く搬送面から上に突出するので、カードの縁が搬送面から浮いた状態となっていても、爪がカードの縁に当たる。そのため、爪部材が移動部材とともに下流側へ移動した場合、爪によってカードを押し出すことができる。
【００１１】
また、爪部材がゲートを上流から下流へ通過する場合に、爪部材が搬送面とゲートの間隔よりも低く搬送面から上に突出するので、爪部材がゲートに当たらず、ゲートの下を通過する。そのため、爪部材によってカードをゲートより下流側に押し出すことができる。
【発明を実施するための最良の形態】
【００１２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
〔カードプリンタの全体構成〕
図１は、カードプリンタ１の概略正面図である。
図１に示すように、カードプリンタ１の上段には、ホッパーユニット１０、画像形成ユニット２０及びリーダー・ライター４０が設けられ、カードプリンタ１の下段には、オーバーコートユニット６０，７０及びスタッカユニット８０が設けられている。ホッパーユニット１０には、下方で開口した箱状のホッパー１１〜１３が取り付けられている。これらホッパー１１〜１３内には、複数枚のカードが積み重ねられ、一番上のカードの上におもりが載置され、ホッパー１１〜１３内のカードが少なくなって浮いたりしないように適度におもりにより加圧されている。ホッパー１１〜１３のそれぞれの下には、後述のカード搬出装置１００（図３に図示）が設けられ、カード搬出装置１００によって最下段のカードが１枚ずつ順次カード搬送路に搬出される。なお、図１では、カード搬送路における搬送方向を矢印３０で示し、搬送されているカードを符号９９を付す。
【００１４】
ホッパー１１〜１３はホッパーユニット１０に対して着脱可能に設けられ、交換式とされている。従って、ホッパー１１〜１３内のカードが無くなった場合に、ユーザはホッパー１１〜１３をホッパーユニット１０から外し、複数枚のカードが積み重ねられた新たなホッパー１１〜１３をホッパーユニット１０に取り付けることで、カードを補充することができる。なお、ホッパー１１〜１３毎にカードの種類が異なるので、ここでは三種類のカードが用いられる。
【００１５】
なお、カードは外形や反り量が規格化された範囲内のものを使用し、図２に示すように、厚さｔが０．７６ｍｍ、短手方向の長さｌが５４ｍｍ、短手方向の最大反り量ｓ（平置き時）が１．５ｍｍ、短手方向の曲率半径Ｒが４９３ｍｍとなる。カードはＩＣカードであり、カードにＩＣチップ（例えば、ＲＦＩＤ（Radio Frequency Identification）チップ）が埋め込まれている。
【００１６】
また、カードプリンタ１の上段には、複数の搬送ローラがカード搬送路に沿って配列され、カード搬送路にあるカードがこれら搬送ローラによってホッパーユニット１０から画像形成ユニット２０を経由してリーダー・ライター４０へ搬送される。
【００１７】
ホッパーユニット１０のカード搬送方向３０下流側には、搬送されるカードに画像を形成する画像形成ユニット２０が配置されている。画像形成ユニット２０は、プリントユニット２１〜２４と、熱処理ユニット２５とを具備する。これらのユニット２１〜２５は、搬送方向の上流側からプリントユニット２１、プリントユニット２２、プリントユニット２３、熱処理ユニット２５、プリントユニット２４の順に配列されている。
【００１８】
プリントユニット２１〜２４は、昇華型熱転写プリントユニットである。つまり、プリントユニット２１〜２４は、それぞれ、インクリボンカセット２１ａ〜２４ａと、インクリボンカセット２１ａ〜２４ａから繰り出されたインクリボンの上に配置されたサーマルヘッド２１ｂ〜２４ｂと、インクリボンを挟んでサーマルヘッド２１ｂ〜２４ｂに対向配置されたプラテンローラ２１ｃ〜２４ｃとを具備する。プリントユニット２１〜２４は、カードの裏面をプラテンローラ２１ｃ〜２４ｃで支持した状態で、インクリボンカセット２１ａ〜２４ａのインクリボン上のインクをサーマルヘッド２１ｂ〜２４ｂにより昇華させ、カードの表面にインクを転写することで印刷する。インクリボンカセット２１ａ〜２４ａのインクリボンの色はそれぞれイエロー（Ｙ）、マゼンタ（Ｍ）、シアン（Ｃ）、ブラック（Ｋ）であるので、プリントユニット２１がイエローで印刷を行い、プリントユニット２２がマゼンタで印刷を行い、プリントユニット２３がシアンで印刷を行い、プリントユニット２４がブラックで印刷を行う。
【００１９】
熱処理ユニット２５は、プリントユニット２３とプリントユニット２４との間に配設されている。この熱処理ユニット２５は、熱処理ヘッド２５ｂと、熱処理ヘッド２５ｂに対向したプラテンローラ２５ｃとを備え、カードをプラテンローラ２５ｃで支持した状態で、プリントユニット２１〜２４によりカードの表面に付着したインクを熱処理ヘッド２５ｂにより発色させる。
【００２０】
画像形成ユニット２０のカード搬送方向３０下流側には、リーダー・ライター４０が配設されている。リーダー・ライター４０は、カード特にＩＣチップに所定の情報を書き込んだり、カードから情報を読み出したりする機能を有する。
【００２１】
リーダー・ライター４０の下方には、落下ユニット５０が配設されている。この落下ユニット５０は上下に回動するテーブルを具備し、画像形成ユニット２０から搬送されたカードを水平状態となったテーブルに受け、リーダー・ライター４０による読み書きが終了した後にテーブルを垂下させることでそのカードを落下させる。
【００２２】
また、カードプリンタ１の下段には、搬送ローラ、搬送ベルトといった搬送機構が設けられ、落下ユニット５０によって落下したカードが搬送機構によってオーバーコートユニット６０，７０を経由して、スタッカユニット８０に搬送される。
【００２３】
落下ユニット５０の下方にオーバーコートユニット６０が配設され、オーバーコートユニット６０の搬送方向３０下流側にオーバーコートユニット７０が配設されている。オーバーコートユニット６０，７０は、それぞれ、転写箔カセット６１，７１と、熱転写ヘッド６２，７２とを有し、転写箔カセット６１，７１から繰り出された転写箔を熱転写ヘッド６２，７２によりカードの表面にコーティングする。これにより、印刷されたカードの表面を剥れ、損傷、改ざん等を防止することができる。転写箔としては、例えば光学変化素子転写用、透明保護層用、硬化型保護層用のものが含まれる。
【００２４】
オーバーコートユニット７０の搬送方向３０の下流側には、スタッカユニット８０が配設されている。スタッカユニット８０は上記各ユニットにより処理が施されたカードを格納する。
【００２５】
〔カード搬出装置〕
図３は、カード搬出装置１００の側面図である。図３に示されたカード搬出装置１００は、図１に示されたホッパー１１の下に設けられ、他のホッパー１２，１３の下にも図３に示すカード搬出装置１００と同様のものが設けられているので、他のホッパー１２，１３の下に設けられたカード搬出装置についての説明は省略する。なお、図３ではホッパー１１内に積み重ねられたカードに符号１５０を付し、図３の図示方向は図１の右から左に向かった方向であり、図３においては図面を見やすくするためにホッパー１１の図示を省略する。
【００２６】
図３に示すように、ホッパーユニット１０のシャーシ１０１にガイドバー１０３が取り付けられ、ガイドバー１０３が図３の左右方向に延在している。このガイドバー１０３がスライド式の移動部材１０５に挿通され、移動部材１０５がガイドバー１０３に対して摺動可能とされ、移動部材１０５がガイドバー１０３に沿って移動可能となっている。
【００２７】
ガイドバー１０３の一端側において、ステッピングモータ１０７がシャーシ１０１に取り付けられ、ステッピングモータ１０７の動力取出軸に駆動プーリー１０９が同軸となるよう取り付けられている。ガイドバー１０３の他端側において、従動プーリー１１１が回転可能となってシャーシ１０１に取り付けられている。この従動プーリー１１１の軸が駆動プーリー１０９の軸と平行であり、駆動プーリー１０９及び従動プーリー１１１の軸がガイドバー１０３に対して垂直となっている。駆動プーリー１０９と従動プーリー１１１に無端ベルト１１３が架け渡され、この無端ベルト１１３の一部が移動部材１０５に取り付けられ、ステッピングモータ１０７によって移動部材１０５がガイドバー１０３に沿って往復移動するよう構成されている。以下では、ガイドバー１０３の一端側を上流とし、ガイドバー１０３の他端側を下流とし、移動部材１０５が上流から下流に移動することを往動とし、移動部材１０５が下流から上流に移動することを復動とする。なお、移動部材１０５がガイドバー１０３によって上流と下流との間で往復移動可能に設けられているが、移動部材１０５を往復移動させる駆動機構はステッピングモータ１０７、駆動プーリー１０９、従動プーリー１１１から構成される。
【００２８】
移動部材１０５には爪部材１１５が軸１１７によって取り付けられている。この軸１１７はガイドバー１０３の直交方向に対して平行であり、爪部材１１５が軸１１７回りに上下に回転可能となっている。爪部材１１５の上の縁は、上流側から下流側に向かって下るような傾斜面とされている。また、爪部材１１５の上の縁であってその上流側には、爪１１９が上に突出するよう形成され、上の縁の傾斜面の頂上から爪１１９の先端までの突出高さが１枚のカードの厚さ以下となっている。また、この爪１１９は、軸１１７よりも上流側にある。
【００２９】
ガイドバー１０３の上方においては、上面が平坦な搬送面となる２枚の搬送プレート１２１がシャーシ１０１取り付けられ、２枚の搬送プレート１２１は搬送面が同じ高さとなるように間隔をあけて配置されている。搬送プレート１２１の搬送面はガイドバー１０３に対して平行となっており、移動部材１０５が搬送プレート１２１の下方で搬送面に沿って往復移動し、移動部材１０５の往復移動により爪部材１１５が２枚の搬送プレート１２１の間において往復移動するようになっている。なお、図３では、図面を見やすくするために、紙面奥側の搬送プレート１２１を示し、紙面手前側の搬送プレートの図示を省略する。
【００３０】
搬送プレート１２１の搬送面にホッパー１１内の複数枚のカードが積み重ねられ、最上位のカードの上におもり１３９が載置されている。これらカードよりも下流側において、ゲート１２３がシャーシ１０１に取り付けられている。ゲート１２３の下面が搬送プレート１２１の搬送面に対向し、ゲート１２３の下面と搬送プレート１２１の搬送面の間に間隙１２３ａが形成されている。ゲート１２３の下面と搬送プレート１２１の搬送面との間の間隔は１枚のカードの厚さ以上、２枚のカードの厚さ未満である。
【００３１】
ゲート１２３よりも下流側において、板バネ１２５がシャーシ１１０に取り付けられ、この板バネ１２５にカード押さえ板１２７が取り付けられている。カード押さえ板１２７は搬送プレート１２１の搬送面に対向し、板バネ１２５がカード押さえ板１２７を搬送プレート１２１側に付勢することによって、カード押さえ板１２７が搬送プレート１２１の搬送面に当接している。また、カード押さえ板１２７は、その上流側が搬送プレート１２１の搬送面から離れるように湾曲している。
【００３２】
搬送プレート１２１の下面には、ガイドプレート１２９が垂下するよう取り付けられている。このガイドプレート１２９は、爪部材１１５の脇であって図２の紙面奥行き側に配置されている。
【００３３】
このガイドプレート１２９には、ガイド溝１３１が形成されている。ガイド溝１３１は、ホッパー１１内に積み重ねられたカードよりも上流側の下方からカード押さえ板１２７よりも下流側の下方にかけて延在している。ガイド溝１３１は、ガイドバー１０３に対して平行であって水平な状態とされた上流部１３１ａと、上流部１３１ａの下流端に連なるとともに下流側に向かって下るように傾斜した傾斜部１３１ｂと、傾斜部１３１ｂの下流端に連なるとともにガイドバー１０３に対して平行であって水平な状態とされた下流部１３１ｃとから構成されている。上流部１３１ａは、ホッパー１１内に積み重ねられたカードよりも上流側の下方からカードの中央部の下方にかけて延在し、傾斜部１３１ｂは、カードの中央部の下方からゲート１２３の下方にかけて延在し、下流部１３１ｃは、ゲート１２３の下方からカード押さえ板１２７よりも下流側の下方にかけて延在している。
【００３４】
一方、爪部材１１５には、ガイド溝１３１に向けて水平に延出した摺動ローラ１３３が取り付けられ、ガイド溝１３１に摺動ローラ１３３が挿入され、摺動ローラ１３３がガイド溝１３１に沿って摺動可能とされている。この摺動ローラ１３３は軸１１７よりも下流側において爪部材１１５に取り付けられ、摺動ローラ１３３が爪部材１１５に対して自転可能となっている。
【００３５】
カード搬出装置１００の動作について説明する。
図３に示すように、爪部材１１５の爪１１９がホッパー１１内のカードよりも上流側に位置する場合には、摺動ローラ１３３がガイド溝１３１の上流部１３１ａにあり、爪１１９が搬送プレート１２１の搬送面よりも上に突出している。摺動ローラ１３３がガイド溝１３１の上流部１３１ａに位置している場合、爪１１９の先端がゲート１２３の下面よりも高い位置にあり、爪１１９が搬送プレート１２１の搬送面とゲート１２３の間隔よりも高く搬送面から上に突出している。
【００３６】
ステッピングモータ１０７が作動すると、移動部材１０５がガイドバー１０３によって案内されて下流へ往動する。この時、ホッパー１１内に積み重ねられたカードのうち最も下のカードが爪部材１１５の上の縁の傾斜面によってすくいあげられ、そのカードの縁に爪１１９が当接する。
【００３７】
更にステッピングモータ１０７によって移動部材１０５が下流へ往動すると、爪１１９が最も下のカードに係止した状態で、そのカードが爪１１９によって下流に押し出され、そのカードがゲート１２３の下面と搬送プレート１２１との間の間隙１２３ａに挿入される。この時、下から二番目のカード及びそれよりも上のカードがゲート１２３に当たるので、２枚以上のカードが重った状態で間隙１２３ａを通過しない。更にステッピングモータ１０７によって移動部材１０５が下流へ往動すると、カードがカード押さえ板１２７と搬送プレート１２１との間に挿入され、板バネ１２５によってカードがカード押さえ板１２７と搬送プレート１２１との間に挟み込まれる。これにより、カードが反ったり搬送プレート１２１から浮き上がったりすることが防止される。
【００３８】
更にステッピングモータ１０７によって移動部材１０５が下流へ往動すると、カードがカード押さえ板１２７と搬送プレート１２１との間に挟まれた状態で間隙１２３ａを通過していく。この時に、摺動ローラ１３３がガイド溝１３１の上流部１３１ａから傾斜部１３１ｂに至り、移動部材１０５が下流へ移動していくに従って、摺動ローラ１３３がガイド溝１３１の傾斜部１３１ｂによって下降していく。これにより、爪部材１１５が軸１１７を中心にして下に回転し、爪１１９が下降していく。
【００３９】
更にステッピングモータ１０７によって移動部材１０５が下流へ往動すると、摺動ローラ１３３がガイド溝１３１の傾斜部１３１ｂから下流部１３１ｃに至り、爪１１９の先端がゲート１２３の下面よりも低い位置になり、爪１１９が搬送プレート１２１の搬送面とゲート１２３の下面の間隔よりも低く搬送面から上に突出する。更に、ステッピングモータ１０７によって移動部材１０５が下流へ往動すると、爪１１９がカードを下流へ押しつつゲート１２３の下を通過する。更に、ステッピングモータ１０７によって移動部材１０５が下流へ往動すると、カードが爪１１９によって搬送方向３０のカード搬送路に排出される。カード搬送路に搬出されたカードは図１の画像形成ユニット２０に搬送され、画像形成ユニット２０によってカードに画像が形成される。
【００４０】
カードがカード搬送路に搬出された後、ステッピングモータ１０７が逆に作動することによって、移動部材１０５が上流へ復動し、摺動ローラ１３３がガイド溝１３１の下流部１３１ｃから傾斜部１３１ｂを経て上流部１３１ａへ摺動する。この時、爪１１９がカード押さえ板１２７の下からゲート１２３の下、カードの下を経てカードよりも上流側に移動する。ここで、摺動ローラ１３３が傾斜部１３１ｂを上流へ摺動している時には、爪部材１１５が上に回転し、爪１１９が上昇していく。
【００４１】
以上のように、本実施形態によれば、摺動ローラ１３３がガイド溝１３１の上流部１３１ａにある場合、爪１１９の先端がゲート１２３の下面よりも高い位置にあるので、カードが下に凸となってカードの縁が搬送プレート１２１の搬送面から浮いた状態となっていても、爪１１９が最も下のカードの縁に係止する。カードが上に凸となって湾曲した場合でも、カードが平坦で湾曲していない場合でも、爪１１９が最も下のカードに係止する。従って、爪１１９によってカードを確実に押し出すことができる。
【００４２】
また、爪１１９の突出高さが１枚のカードの厚さ以下であるので、爪１１９が下から２番目のカードに係止せず、爪部材１１５の往復１回によって最も下のカードのみをカード搬出路へ搬出することができる。
【００４３】
また、摺動ローラ１３３がガイド溝１３１の傾斜部１３１ｂを下流へ移動している時には、爪１１９の先端が下降していく。そして、爪１１９がゲート１２３から下に避けるようにしてゲート１２３の下を通過する。そのため、爪１１９がゲート１２３に当たらず、爪１１９によってカードを確実に押し出すことができる。
【００４４】
このように、カードが下に凸となるよう湾曲した場合でも、カードが下に凸となるよう湾曲した場合でも、カードが湾曲していない場合でも、カードを確実に一枚ずつ搬出することができ、爪１１９がゲート１２３に係止してしまうことも防止することができる。
【００４５】
なお、本発明は、上記実施の形態に限定されることなく、本発明の趣旨を逸脱しない範囲において、種々の改良並びに設計の変更を行っても良い。
【００４６】
例えば、上記実施形態では、摺動ローラ１３３が軸１１７よりも上流側で爪部材１１５に取り付けられているが、摺動ローラ１３３が軸１７７よりも下流側で爪部材１１５に取り付けられても良い。この場合、ガイド溝１３１を上下に反転した形状とし、上流部１３１ａを下流部１３１ｃよりも下にし、傾斜部１３１ｂを下流に向かって上るように傾斜させる。このようにすれば、摺動ローラ１３３がガイド溝１３１の傾斜部１３１ｂを下流に向かって摺動する時に、爪１１９が下降する。
【００４７】
また、爪部材１１５が移動部材１０５に対して上下に回転可能となっているが、爪部材１１５が直線的に昇降可能となって移動部材１０５に取り付けられても良い。例えば、移動部材１０５の上下方向のガイドレールを設け、爪部材１１５がそのガイドレールに沿って上下に摺動可能に取り付けられても良い。
【図面の簡単な説明】
【００４８】
【図１】カードプリンタの正面図である。
【図２】反った状態のカードを示した図面である。
【図３】カード搬出装置１００の側面図である。
【図４】従来のカード搬出装置の側面図である。
【符号の説明】
【００４９】
１  カードプリンタ
２０  画像形成ユニット
１００  カード搬出装置
１０５  移動部材
１１５  爪部材
１１９  爪
１２１  搬送プレート
１２３  ゲート
１３１  ガイド溝
１３１ａ  上流部
１３１ｂ  傾斜部
１３１ｃ  下流部
１３３  摺動ローラ
【図１】
2007076889.tif 000003
【図２】
2007076889.tif 000004
【図３】
2007076889.tif 000005
【図４】
2007076889.tif 000006